(57)【要約】【課題】ホッパーカセットの底部に形成された１対の爪送り孔から、カードが盗まれるのを防ぐ。【解決手段】カード排出時には、ホッパーカセット収納部１４Ａ〜１４Ｄの底板１３ｃに形成された両爪送り孔１３ｂ内に１対のカードホッピング爪６０を挿入してカード１１の両側部を把持し、カード排出口１３ａから排出するので、反りを有するカード１１でも円滑に排出できる。また、両爪送り孔１３ｂは、シャッタ手段４０を作動することで、１対のシャッタ４１により開閉させられる。これにより、各爪送り孔１３ｂを介してのカード１１の盗難を防止することができる。【選択図】　　　　図１
2004127192.tif 000002
【特許請求の範囲】
【請求項１】
カードを発行するカード発行機能を備えたカード発行機の筐体内に配備され、発行前の多数の前記カードをそれぞれ収納する複数のホッパーカセットと、該各ホッパーカセットを吊り下げ状態で収納可能な複数のホッパーカセット収納部とを備え、
前記各ホッパーカセットの底部の一部分には、最下層の前記カードを排出するためのカード排出口が形成され、
前記各ホッパーカセットの底板には、前記最下層のカードの両側部を把持してカード排出口から排出する１対のカードホッピング爪が出し入れされる１対の爪送り孔がそれぞれ離間した状態で配置され、
前記各ホッパーカセットには、対応する爪送り孔をシャッタによって開閉するシャッタ手段がそれぞれ設けられたことを特徴とするカード発行機のホッパーカセット機構。
【請求項２】
前記各シャッタ手段は、対応するホッパーカセットの底板の爪送り孔間にそれぞれ設けられ、
前記各シャッタ手段には、前記シャッタが１対ずつ配設され、
該対配置されたシャッタは、前記底板の爪送り孔間に立設された回動軸を中心にして回動することで、対応する爪送り孔をそれぞれ個別に開閉させる請求項１記載のカード発行機のホッパーカセット機構。
【請求項３】
前記各シャッタ手段には、対応するシャッタを開閉操作させるシャッタ開閉操作部材がそれぞれ設けられ、
前記各ホッパーカセットには、
対応するシャッタ開閉操作部材をロックするロック部材と、
前記ホッパーカセットのホッパーカセット収納部への収納時に、前記ロック部材による前記シャッタ開閉操作部材のロック状態を解除するロック解除部材とが配設された請求項１または２記載のカード発行機のホッパーカセット機構。
【請求項４】
前記各ホッパーカセットの底部には、前記カード排出口からのカードの抜き取りを阻止するカード抜取り阻止部材と、該カード抜取り阻止部材によるカードの抜取り阻止状態を解除するカード抜取り阻止解除部材とが配設され、
前記ホッパーカセット収納部には、キー操作によって、前記各ホッパーカセットを対応するホッパーカセット収納部に固定または固定解除するキーロック機構に連動して、前記カード抜取り阻止解除部材を操作する請求項１から３のいずれか記載のカード発行機のホッパーカセット機構。
【請求項５】
前記ホッパーカセットの内部には、収納されたカードを上方から押さえ付けるウエイトが出し入れ自在に収納された請求項１から４のいずれか記載のカード発行機のホッパーカセット機構。
【請求項６】
前記ホッパーカセット収納部には、収納されたホッパーカセット内のカードの有無を検知するカード検知センサと、ホッパーカセットの収納の有無を検知するカセット検知センサと、ホッパーカセット内のカードのストック量が少なくなった状態を検知するニアエンドセンサとが配設された請求項１から５のいずれか記載のカード発行機のホッパーカセット機構。
【発明の詳細な説明】
【０００１】
【発明の属する技術分野】
本発明は、カード発行機のホッパーカセット機構に関する。さらに詳述すると、本発明は、カード発行機のセキュリティロック付きホッパーカセットの改良に関する。
【０００２】
【従来の技術】
従来のカード発行機には、底部にカード供給部を有するホッパーカセットをそれぞれ収納可能な複数のホッパーカセット収納部が直列状態で配置されたホッパーカセット部と、各ホッパーカセット収納部の底部に設けられ、対応するホッパーカセット内の最下層のカードを、カード供給部に形成されたカード排出口を通して背後から突き出す１本の突き出しピン、および、各ホッパーカセット収納部間を移動して、カード排出口から排出されたカードを受け取る移動体を有するカード取り出し移動機構と、各ホッパーカセットの底部に設けられ、移動体の接近および離反に応じて爪状シャッタを出没させることでカード排出口を開閉するシャッタ手段とが配備されている（特開２０００−６７２７８号）。
【０００３】
駆動源により移動体を所定のホッパーカセット収納部まで移動し、シャッタ手段によって爪状シャッタを退避させ、カード排出口を開口する。その後、突き出し爪によりカード排出口からカードをカセット外に突き出し、それを移動体が受け取り、次いで移動体がカード発行機内に設けられたインデント／エンボス機構まで移動し、ここでカードに所定の文字および記号などが刻まれる。
【０００４】
また、ホッパーカセット部には、各ホッパーカセットを一括してホッパーカセット収納部に固定または固定解除するカセットロック機構が搭載されている。
【０００５】
従来のカセットロック機構には、各ホッパーカセットを、対応するホッパーカセット収納部に同時に固定または固定解除する複数のロック操作レバーが、それぞれ所定ピッチで連結された一括操作軸体と、一括操作軸体をその軸線を中心にして回動させるキーロック機構とが備えられている。キーロック機構のキー操作により一括操作軸体を回動させると、各ロック操作レバーが垂直面内で回動する。これにより、全てのホッパーカセットが、ホッパーカセット収納部に同時に固定または固定解除される。
【０００６】
【特許文献１】
特開２０００−６７２７８号
【０００７】
【発明が解決しようとする課題】
しかしながら、従来のカード発行機のカセットセット機構にあっては、このように１本の突き出しピンにより、ホッパーカセット内の最下層のカードを背後から突いて、カード排出口から排出するように構成していた。そのため、仮にカードに反りなどが発生している場合には、狭いカード排出口からうまくカードを繰り出せなかった。すなわち、カードの反りや曲がりの方向によっては、カード規格内のわずかな変形でも、ホッピングミスを起こしやすかった。
【０００８】
そこで、本発明者らは、鋭意研究の結果、各ホッパーカセットの底板に１対の平行な爪送り孔を形成し、両爪送り孔に、カードの両側部を把持してこのカードをカード排出口から送り出す１対のカードホッピング爪を出し入れさせれば、反りを有するカードでも、円滑にカード排出口からカードを排出できることを見出した。
【０００９】
ところが、このような構成では、ホッパーカセットの底板にカードホッピング爪が出入りする大きな１対の爪送り孔が現出される。そのため、これらの爪送り孔を通して、ホッパーカセット内のカードが盗み出される懸念がある。そこで、本発明者らは、ホッパーカセットに、両爪送り孔をシャッタにより開閉するシャッタ手段を設ければ、これらの爪送り孔からのカード盗難を防止できることを知見し、この発明を完成させた。
【００１０】
本発明は、反りを有するカードでもカード排出口から円滑に外部に排出することができ、しかもホッパーカセットの底板に有する１対の爪送り孔からのカード盗難を防止できるカード発行機のホッパーカセット機構を提供することを目的とする。
【００１１】
また、本発明は、１対のシャッタをカセット底部にコンパクトに収納可能なカード発行機のホッパーカセット機構を提供することを目的とする。
【００１２】
さらに、本発明は、シャッタにセキュリティロック機能を付加することができ、しかもホッパーカセットのホッパーカセット収納部への収納時に、このロックを解除することができるカード発行機のホッパーカセット機構を提供することを目的とする。
【００１３】
さらにまた、本発明は、カード排出口からのカード盗難を防止し、しかもこのカード排出口の開閉操作を個別に行わなくても、ホッパーカセットのキーロック機構のキー操作に連動させることができるカード発行機のホッパーカセット機構を提供することを目的とする。
【００１４】
【課題を解決するための手段】
かかる目的を達成するため、請求項１記載の発明にかかるカード発行機のホッパーカセット機構は、カードを発行するカード発行機能を備えたカード発行機の筐体内に配備され、発行前の多数の前記カードをそれぞれ収納する複数のホッパーカセットと、該各ホッパーカセットを収納可能な複数のホッパーカセット収納部とを備え、前記各ホッパーカセットの底部の一部分には、最下層の前記カードを排出するためのカード排出口が形成され、前記各ホッパーカセットの底板には、前記最下層のカードの両側部を把持してカード排出口から排出する１対のカードホッピング爪が出し入れされる１対の爪送り孔がそれぞれ離間した状態で配置され、前記各ホッパーカセットには、対応する爪送り孔をシャッタによって開閉するシャッタ手段がそれぞれ設けられようにしている。
【００１５】
したがって、カード排出時には、ホッパーカセットの底板に形成された両爪送り孔内にカードホッピング爪をそれぞれ挿入してカードの両側部を把持し、その後、カードをカード排出口から排出するので、反りを有するカードでも円滑に排出することができる。
【００１６】
また、両爪送り孔は、シャッタ手段を作動することで、シャッタにより開閉させられる。これにより、各爪送り孔を介してのカードの盗難を防止することができる。
【００１７】
また、請求項２記載の発明は、請求項１記載のカード発行機のホッパーカセット機構において、前記各シャッタ手段は、対応するホッパーカセットの底板の爪送り孔間にそれぞれ設けられ、前記各シャッタ手段には、前記シャッタが１対ずつ配設され、該対配置されたシャッタは、前記底板の爪送り孔間に立設された回動軸を中心にして回動することで、対応する爪送り孔をそれぞれ個別に開閉させるようにしている。
【００１８】
したがって、シャッタ手段の作動により、ホッパーカセットの底板の爪送り孔間の部分から、カードホッピング爪の送り方向とは直交方向に存在する１対の爪送り孔に向かって、対応するシャッタをそれぞれ出し入れさせる。これにより、両爪送り孔が開閉させられる。このように、ホッパーカセットの底板の爪送り孔間にシャッタ手段を設けたので、両爪送り孔を開閉する１対のシャッタをカセット底部にコンパクトに収納させることができる。
【００１９】
さらに、請求項３記載の発明は、請求項１または２記載のカード発行機のホッパーカセット機構において、前記各シャッタ手段には、対応するシャッタを開閉操作させるシャッタ開閉操作部材がそれぞれ設けられ、前記各ホッパーカセットには、対応するシャッタ開閉操作部材をロックするロック部材と、前記ホッパーカセットのホッパーカセット収納部への収納時に、前記ロック部材による前記シャッタ開閉操作部材のロック状態を解除するロック解除部材とが配設されるようにしている。
【００２０】
したがって、ホッパーカセットをホッパーカセット収納部から取り出すと、ロック部材によりシャッタ開閉操作部材がロックされる。これにより、シャッタは爪送り孔を閉じた状態で維持される。すなわち、シャッタにセキュリティロック機能を付加することができる。
【００２１】
一方、ホッパーカセットをホッパーカセット収納部に収納すると、ロック解除部材により、シャッタ開閉操作部材のロック部材によるロック状態が解除される。そのため、その後のカードホッピング爪によるカードのホッピングに支障はない。
【００２２】
さらにまた、請求項４記載の発明は、請求項１から３のいずれか記載のカード発行機のホッパーカセット機構において、前記各ホッパーカセットの底部には、前記カード排出口からのカードの抜き取りを阻止するカード抜取り阻止部材と、該カード抜取り阻止部材によるカードの抜取り阻止状態を解除するカード抜取り阻止解除部材とが配設され、前記ホッパーカセット収納部には、キー操作によって、前記各ホッパーカセットを対応するホッパーカセット収納部に固定または固定解除するキーロック機構に連動して、前記カード抜取り阻止解除部材を操作するようにしている。
【００２３】
したがって、ホッパーカセット収納部にホッパーカセットを収納後、キーロック機構のキー操作を行うことで、カード抜取り阻止部材によりカード排出口を開閉させる。これにより、カード排出口からのカード盗難を防ぐとともに、このカード排出口の開閉操作を個別に行わなくても、ホッパーカセットのキーロック機構のキー操作に連動して行うことができる。
【００２４】
そして、請求項５記載の発明は、請求項１から４のいずれか記載のカード発行機のホッパーカセット機構において、前記ホッパーカセットの内部には、収納されたカードを上方から押さえ付けるウエイトが出し入れ自在に収納されている。
【００２５】
したがって、ホッパーカセットに収納された多数のカードは、最上層のカード上のウエイトにより下方に押される。これにより、円滑にカードをカセット底部まで押し下げることができる。
【００２６】
また、請求項６記載の発明は、請求項１から５のいずれか記載のカード発行機のホッパーカセット機構において、前記ホッパーカセット収納部には、収納されたホッパーカセット内のカードの有無を検知するカード検知センサと、ホッパーカセットの収納の有無を検知するカセット検知センサと、ホッパーカセット内のカードのストック量が少なくなった状態を検知するニアエンドセンサとが配設されている。
【００２７】
したがって、これらのセンサにより、ホッパーカセット内のカードの有無を検知したり、ホッパーカセットの収納の有無を検知したり、ホッパーカセット内のカードのストック量が少なくなった状態を検知することができる。
【００２８】
【発明の実施の形態】
以下、本発明の構成を図面に示す実施の形態に基づいて説明する。なお、説明の都合上、カード発行機の機長方向をＸ方向、機幅方向をＹ方向、上下方向をＺ方向とする。
【００２９】
図１から図１５に、本発明のカード発行機のホッパーカセット機構の一実施形態を示す。このカード発行機のホッパーカセット機構（以下、ホッパーカセット機構）１０は、例えば、図２に示すように、カード１１を発行するカード発行機１２の筐体１２Ａの内部に配備され、発行前の多数のカード１１を収納する同一形状の複数のホッパーカセット１３と、各ホッパーカセット１３を吊り下げ状態で収納可能な複数のホッパーカセット収納部１４とを備えて構成されている。
【００３０】
カード発行機１２の内部には、例えば、ホッパーカセット１３を配設したホッパーカセット部１７と、各ホッパーカセット１３の底部のカード排出口１３ａからカード１１を取り出すカード取り出し移動機構１８と、カード１１に所定の文字および記号などを刻むインデント／エンボス機構１９と、刻まれた文字および記号などに色付けするトッパー機構２０と、カード１１に所定の記録を行ってカード発行口２１ａよりカード１１を発行するカードリーダ部２１と、カード発行機１２の全体を制御する制御部２２とが、それぞれ所定位置に配設されている。
【００３１】
次に、ホッパーカセット部１７を詳細に説明する。
【００３２】
ホッパーカセット部１７は、多数のカード１１を積み重ねてストックするとともに、カセット底部の一部分に前記カード排出口１３ａが形成された複数のホッパーカセット１３と、筐体１２Ａのインデント／エンボス機構１９とは反対側の壁板１２ａに配された複数のホッパーカセット収納部１４とを有している。本実施形態では、例えばそれぞれ４個のホッパーカセット１３Ａ〜１３Ｄおよびホッパーカセット収納部１４Ａ〜１４Ｄを備えている。各ホッパーカセット１３Ａ〜１３Ｄは、例えばそれぞれの底部のカード取り出し移動機構１８側の面に形成されたカード排出口１３ａからカード１１を取り出せるように、Ｘ方向に向かって直列状態で配置されている。各ホッパーカセット１３Ａ〜１３Ｄには、例えば異なる種類のカード１１を収納しても良く、また全てのホッパーカセット１３Ａ〜１３Ｄに同じ種類のカード１１を収納しても良い。各カード排出口１３ａは、図３に示すように、ゲートプレート１３ｋと底板１３ｃ、端板１３ｅ、中間板１３ｄとの間に設けられる隙間によって構成されている。そして、そのカード排出口１３ａの両端にはゲートプレート１３ｋの形に設けられている突起１３ｋ１と底板１３ｃ並びに端板１３ｅ側に設けられた突起１３ｃ１とによって、カード１枚分の厚さよりも大きくかつカード２枚分の厚さよりも小さい隙間のゲート部Ｇが構成されている。したがって、カード１１は２枚以上を同時に取り出せない。
【００３３】
各ホッパーカセット１３Ａ〜１３Ｄは、平面視してＸ方向に長い矩形状の縦長ボックスで、上蓋２３を開いて、Ｘ方向に長いカード１１を上方から補充するように構成されている。また、各ホッパーカセット１３Ａ〜１３Ｄの一側板には、その方向の全長にわたって開口部１３ｒが形成されている。各ホッパーカセット１３Ａ〜１３Ｄの一側板には、各開口部１３ｒを開閉する縦長な側蓋１３ｓが、対応するホッパーカセット１３Ａ〜１３Ｄの一側板の下端部に設けられたヒンジ１３ｔを介して垂直面内で回動自在となっている。側蓋１３ｓの先端には、掛止突起１３ｊが突設されている。この掛止突起１３ｊは、上蓋２３の一端部に形成されたスリット状の掛止孔２３ａに挿着されることで、この側蓋１３ｓの閉蓋状態が維持される。尚、上蓋２３にはシリンダ錠１５が備えられており、該錠１５によって回動されるロック片１６をゲートプレート１３ｋに設けられた孔１６ａに挿入することによって施錠される。
【００３４】
各ホッパーカセット収納部１４Ａ〜１４Ｄには、スリット１３ｇとの対向位置に、それぞれ収納されたホッパーカセット１３Ａ〜１３Ｄ内のカード１１の有無を検知するカード検知センサレバー７１が形成され、スリット１３ｈの対向位置には、ホッパーカセット１３Ａ〜１３Ｄの収納の有無を検知するカセット検知センサ７２が形成され、スリット１３ｉとの対向位置には、ホッパーカセット１３Ａ〜１３Ｄ内のカード１１のストック量が少なくなった状態を検知するニアエンドセンサレバー７３とが配置されている。これらのセンサレバー７１〜７３は、図８に示すように、壁板１２ａの各ホッパーカセット収納部１４Ａ〜１４Ｄの下部に固着された縦長なセンサボックス７０から揺動によって出し入れ自在に突設されている板状のセンサ端子で、対応するスリット１３ｇ〜１３ｉに先端側が挿入され、基端側がセンサボックス７２内に設置されているセンサ７４の発光素子と受光素子との間を通過することで、センサとして機能するように構成されている。これらのセンサレバー７１〜７３により、ホッパーカセット１３Ａ〜１３Ｄ内のカード１１の有無を検知したり、ホッパーカセット１３Ａ〜１３Ｄの収納の有無を検知したり、ホッパーカセット１３Ａ〜１３Ｄ内のカード１１のストック量が少なくなった状態を検知することができる。
【００３５】
各ホッパーカセット１３Ａ〜１３Ｄにあっては、その最上層のカード１１上にウエイトＷが載置される。このウエイトＷは、裏返しても同じ形状となる平面視して矩形状の合成樹脂製の錘で、その自重によって、カード１１をカセット底部１３ｃまで円滑に押し下げる。
【００３６】
図１に示すように、各ホッパーカセット１３Ａ〜１３Ｄの底板１３ｃには、Ｙ方向の両側縁を貫通して形成された、１対のＹ方向に延びる平行な爪送り孔１３ｂが離間配置されている。これらの爪送り孔１３ｂは、最下層のカード１１の両側部を把持し、その把持されたカード１１をカード排出口１３ａからカード取り出し移動機構１８側に排出するための１対のカードホッピング爪６０を出し入れさせる長孔である。また、各ホッパーカセット１３Ａ〜１３Ｄの背板１３ｘには、その一端部の下部に、ｚ方向に延びる３本のスリット１３ｇ，１３ｈ，１３ｉが形成されている。スリット１３ｇ、１３ｈは、互いに離間して背板１３ｘの下端部に配置されている。スリット１３ｉは、背板１３ｘの下端部付近であって、スリット１３ｇ、１３ｈのｘ方向の中間部に配置されている。
【００３７】
各ホッパーカセット１３Ａ〜１３Ｄには、底板１３ｃの爪送り孔１３ｂ間に形成されたＹ方向に延びる中間板１３ｄに、対応する両爪送り孔１３ｂをシャッタ４１により開閉させるシャッタ手段４０がそれぞれ設けられている。中間板１３ｄの壁板１２ａ側の端部は、対応するホッパーカセット１３Ａ〜１３Ｄの背板１３ｘから所定長さだけ外部に突出している。次に、このシャッタ手段４０を詳細に説明する。
【００３８】
図１、図６および図７に示すように、シャッタ手段４０は、中間板１３ｄのＹ方向の中間部に回動軸４２ａを中心にして軸支されたシャッタ開閉操作レバー（シャッタ開閉操作部材）４２と、このシャッタ開閉操作レバー４２の回動軸４２ａを中心とした均等距離にそれぞれの元部が回動自在に配設された１対のシャッタ４１と、シャッタ開閉操作レバー４２の外部突出した壁板１２ａ側の端部に一体的に屈曲形成され、後述する第２の操作突起Ｐ２が当接される第２のスイッチＳ２と、中間板１３ｄの外部突出した部分上に立設されたピン４４ａに挿着され、常時、シャッタ開閉操作レバー４２をシャッタ開状態に保持する巻きばね４４と、底板１３ｃの各爪送り孔１３ｂの外側壁部のＹ方向の中間部位置にそれぞれ形成された１対のシャッタ掛止溝４５とを有している。
【００３９】
両シャッタ４１は、平面視して略くの字に屈曲した金属製の板片で、シャッタ閉時に、中間板１３ｄのスペース内にコンパクトに収納されるように構成されている。両シャッタ４１は、シャッタ開閉操作レバー４２のカード取り出し移動機構１８側の端部と、その外部突出部の付近とにそれぞれ軸支されている。具体的に説明すれば、シャッタ開閉操作レバー４２の各シャッタ４１の軸支部付近には、１対のリンク幅方向に長い長孔４２ｂがそれぞれ形成されている。各長孔４２ｂには、各シャッタ４１の元部付近の上面に突設された短尺なピン４１ａが固挿されている。一方、シャッタ開閉操作レバー４２には、各長孔４２ｂよりもリンク長さ方向の外側付近の下面に、１対の短尺な回動操作ピン４２ｃが垂設されている。さらに、各シャッタ４１の元部の端面には、対応する回動操作ピン４２ｃが遊挿されるＵ字形のピン溝４１ｂがそれぞれ形成されている。したがって、水平移動する前記第２の操作突起Ｐ２が第２のスイッチＳ２に当接すると、巻きばね４４のばね力に抗してシャッタ開閉操作レバー４２が回動軸４２ａを中心にしてシャッタ閉側（図１において反時計回り）に回動する。これにより、各回動操作ピン４２ｃ、ピン溝４１ｂの形成部を介して、両シャッタ４１がシャッタ閉側に回動する。このとき、両シャッタ４１は、それぞれの屈曲部の回動軸４２ａと当接する内側部分が抉られており、回動軸４２ａに食い込むような状態で中間板１３ｄのスペース内にコンパクトに収納される。
【００４０】
また、各ホッパーカセット１３Ａ〜１３Ｄには、図１及び図５に示すように、底板１３ｃの各Ｙ方向の一側部の下面に、中間板１３ｄと平行で、かつこの中間板１３ｄと略同じ長さを有する端板１３ｅが固定されている。この端板１３ｅの背板１３ｘ側の端部には、平面視してコの字形の小さい切欠部１３ｆが形成されている。この切欠部１３ｆには、揺動バー（カード抜取り阻止解除部材）４６の断面矩形状の元部４６ａが、Ｚ方向に昇降自在に遊挿されている。揺動バー４６の先端部には、カード排出口１３ａの一端部の外方近傍に配置され、カード排出口１３ａからのカード１１の抜き取りを阻止するストッパ爪（カード抜取り阻止部材）４６ｂが上方へ屈曲して形成されている。この揺動バー４６は、その長さ方向の中間部が、端板１３ｅの長さ方向の略中間部に図示しない軸線方向がＸ方向に向いた揺動軸４６ｃを中心にして垂直面内で揺動自在となるように軸支され、自重によりカード排出口１３ａに位置するストッパ爪４６側が上昇し元部４６ａ側が沈むように傾斜するように設けられている。これによって、ホッパーカセット１３は、ホッパーカセット収納部１４にセットされない限りストッパ爪４６ｂによってカード排出口１３ａを閉じてカード１１が抜き取られないようにし、ホッパーカセット収納部１４にセットされたときに後述する揺動バー４６の揺動規制機構を解除してカード１１を抜き取り可能とする。
【００４１】
各ホッパーカセット１３Ａ〜１３Ｄの背板１３ｘのＸ方向の他側部には、図５及び図６に示すように、シャッタロック操作ボックス２４が固着されている。これらのシャッタロック操作ボックス２４は、逆Ｌ字形の縦長な矩形状ボックスで、各上端部には、外方に向かって直角に屈曲した鍔部２４Ａが一体形成されている。この鍔部２４Ａの下面には、離間配置された１対の凹部２４ｆと、両凹部２４ｆの中間部に配置された１つのピン孔２４ｇとが、それぞれ形成されている。これらの凹部２４ｆには、筐体１２Ａの壁板１２ａの上縁面にそれぞれ離間配置された１対の操作入力ピンＴ１，Ｔ２が抜き差し自在になっている。また、両操作入力ピンＴ１，Ｔ２の中間位置には、各ホッパーカセット１３Ａ〜１３Ｄを、対応するホッパーカセット収納部１４Ａ〜１４Ｄに、それぞれ位置決め状態で固定する固定ピンＴ３が突設されている。
【００４２】
各シャッタロック操作ボックス２４内には、シャッタ４１をロックまたはロック解除するシャッタロック操作機構５０が収納されている。シャッタロック操作機構５０の詳細については後述する。
【００４３】
図４に示すように、各シャッタロック操作ボックス２４の外板２４ａの一側板２４ｂ側の端には、背板１３ｘのＺ方向の略全長にわたる長尺片２４ｃが突設されている。各シャッタロック操作ボックス２４の下端部には、４本の溝ａ，ｂ，ｃ，ｄが設けられている。このうち、溝ａは縦溝で、シャッタロック操作ボックス２４の外板２４ａの幅方向の中間部に、シャッタロック操作ボックス２４の下板を貫通して形成されている。そして、この縦溝ａを挟んで右側と左側（図４参照）とに僅かに段差を設けて溝ｂ，ｃの２つの横溝が設けられている。横溝ｂは縦溝ａからシャッタロック操作ボックス２４を貫通して同ボックス２４内に操作突起Ｐ１が横から差し入れ可能に設けられている。また、横溝ｃは、縦溝ａからシャッタロック操作ボックス２４の一側板２４ｂおよび長尺片２４ｃの下端部を貫通するように形成されている。溝ａとｂ，ｃとは、略Ｔ字形に連通されている。横溝ｂ内には、第１のスイッチＳ１が垂直面内で回動可能に突設されている。更に、シャッタロック操作ボックス２４の一側板２４ｂ寄りの下端は部分的に切り欠かれ、中間板１３ｄとの間で横溝ｄを構成している。この横溝ｄは、縦溝ａと連通しておらず、中間板１３ｄから突き出るシャッタ開閉操作レバー４２の先端部である第２のスイッチＳ２が、溝を横切るように収められている。
【００４４】
図９に示すように、第１のスイッチＳ１は、回動体４７の外周面の上側に上向きに突出するように設けられている。この回動体４７は、背板１３ｘに固定されたベース板２４ｄに回転自在に軸支されている。この回動体４７の回転軸４７ａには、常時、第１のスイッチＳ１を垂直状態に付勢する巻きばね４８が外挿されている。この巻きばね４８の一端が回動体４７の掛止軸部４７ｃに引っかけられ、他端がベース板２４ｄに形成された切欠部（窓）２４ｅの縁に掛止されている。掛止軸部４７ｃは、スイッチＳ１からベース板２４ｄに向けて突き出され、切欠部２４ｅを貫通して、図４において反時計回転方向へ回動体４７が回転する際に対向する切欠部２４ｅの縁に当接してその回転を規制し、スイッチＳ１を垂直状態に保持する。また、回動体４７の下部には、揺動バー４６の元部４６ａの上端が当接することで、揺動バー４６の揺動（ストッパ爪４６ｂの解除動作）を規制する円弧形状の揺動規制爪４７ｂが一体形成されている。したがって、ホッパーカセット１３がホッパーカセット収納部１４にセットされることにより後述する第１のスイッチロックレバー５１が退避させられた状態において、縦溝ａに挿入された第１の操作突起Ｐ１が水平にスライドして第１のスイッチＳ１に押し当てられると、この第１のスイッチＳ１とともに回動体４７が、図９、図１５中の時計回りに回動する。これにより、揺動規制爪４７ｂによる揺動バー４６の揺動規制状態が解除される。この揺動規制が解除されることで、その後、カードホッピング爪６０の接近による揺動バー４６のストッパ爪４６ｂの爪掛止解除側への揺動が許容される。尚、揺動規制爪４７は、本実施形態の場合、スイッチＳ１を垂直に配置した状態で元部４６ａの直上から時計回転方向に約９０度の範囲に亘って形成されているがこれに特に限定されるものではなく、少なくとも元部４６ａの直上に配置されていれば足りる。
【００４５】
カードホッピング爪６０は、ガイドロッド６２に沿ってホッパーカセット収納部１４Ａ〜１４Ｄの爪送り孔１３ｂの下をカード排出方向に移動する移動体６１の上に搭載されている。カードホッピング爪６０は、カセット内のカード１１よりも後ろ（図５においてカセット背板１３ｘの後ろ）まで後退したときに、図示していない巻きばねの力で浮上して最も下のカードの後端（縁）に引っかかり、該カード１１を押しだし可能とする。この際に、揺動バー４６の元部４６ａ付近の底面側が移動体６１の上に乗り上げることによって、揺動バー４６の元部４６ａ側が押し上げられるように揺動するように構成されている。尚、カードホッピング爪６０を搭載する移動体６１は、カードを取り出そうとするいずれかのホッパーカセットの下にガイドロッド６２を移動させてから、このガイドロッド６２に沿って前後動させられる。これによって、２本のカードホッピング爪６０が爪送り孔１３ｂ内で移動可能とされる。
【００４６】
第１のスイッチＳ１は、ピン形状の第１の操作突起Ｐ１により操作される。また、第２のスイッチＳ２は、短尺なレバー形状の第２の操作突起Ｐ２により操作される。両突起Ｐ１，Ｐ２は、第３の操作突起Ｐ３とともに筐体１２Ａの壁板１２ａの内部に収納され、水平方向に移動可能な長尺な一括操作レバー３０のホッパーカセット部１７側の面の所定位置に、ホッパーカセット１３のセット数に対応する数、本実施懈怠の場合には４組が突設されている。第３の操作突起Ｐ３は、各ホッパーカセット１３Ａ〜１３Ｄをホッパーカセット収納部１４Ａ〜１４Ｄに固定および固定解除する突起である。この第３の操作突起Ｐ３は、ホッパーカセット１３Ａ〜１３Ｄがホッパーカセット収納部１４Ａ〜１４Ｄから引き抜かれるのを防止する。一括操作レバー３０の詳細は後述する。
【００４７】
次に、図１、図４〜図９、図１３、図１５を参照して、シャッタロック操作ボックス２４内に組み込まれた前記シャッタロック操作機構５０を詳細に説明する。
【００４８】
シャッタロック操作機構５０は、互いにＺ方向に延びて、Ｘ方向に離間配置された第１のスイッチロックバー５１と第２のスイッチロックバー５２とを有している。
【００４９】
第１のスイッチロックバー５１は、主に、断面箱形の直胴部５１ａと、この直胴部５１ａの上端に一体的に連結され、外方に向かって直角に屈曲した入力片５１ｂと、直胴部５１ａの下端部に切欠形成され、前記第１のストッパＳ１の先端部が掛止されるロック部５１ｃとから構成されている。入力片５１ｂは、前記鍔部２４Ａの一方の凹部２４ｆに昇降自在に遊挿されている。直胴部５１ａの上下端部には、Ｚ方向に延びる長孔５１ｄが形成されている。各長孔５１ｄには、ベース板２４ｄとシャッタロック操作ボックス２４の背板１３ｘとの間に横架された上下１対のＹ方向に延びる短尺なガイドピン５３が固挿されている。また、ベース板２４ｄの下側のガイドピン５３付近には、Ｙ方向に延びる別の短尺なピン５４が突設されている。このピン５４と、直胴部５１ａの上部の一側板から内側に突設した小ピン５５との間に、Ｚ方向に延びるコイルばね５６が架け渡されている。このコイルばね５６は、常時、第１のスイッチロックバー５１を第１のストッパＳ１のロック側（下側）に付勢するばねである。
【００５０】
第２のスイッチロックバー５２は、主に、断面箱形の直胴部５２ａと、この直胴部５２ａの上端に一体的に連結され、外方に向かって直角に屈曲された入力片（ロック解除部材）５２ｂと、直胴部５２ａの下端部に連結され、前記第２のストッパＳ２の先端部が掛止される細長いロック片（ロック部材）５２ｃとから構成されている。入力片５２ｂは、前記鍔部２４Ａの他方の凹部２４ｆに昇降自在に遊挿されている。直胴部５２ａの上下端部には、Ｚ方向に延びる長孔５２ｄが形成されている。各長孔５２ｄには、ベース板２４ｄとシャッタロック操作ボックス２４の背板１３ｘとの間に横架された上下１対のＹ方向に延びる短尺なガイドピン５３が固挿されている。また、図示しないが、第１のスイッチロックバー５１と同様にベース板２４ｄの下側のガイドピン５３付近には、Ｙ方向に延びる別の短尺なピン５４が突設されている。このピン５４と、直胴部５２ａの上部の一側板から内側に突設した小ピン５５との間に、Ｚ方向に延びるコイルばね５６が架け渡されている。このコイルばね５６は、常時、第２のスイッチロックバー５２を第２のストッパＳ２のロック側（下側）に付勢するばねである。
【００５１】
次に、前記一括操作レバー３０を説明する。一括操作レバー３０は、図１０及び図１１に示すように、例えば横断面形状Ｌ字形の金属板から成る。各組内の突起Ｐ１〜Ｐ３のうち、第２の操作突起Ｐ２と第３の操作突起Ｐ３とは、所定間隔をあけてレバー面に対して垂直配置されている。また、第１の操作突起Ｐ１と第３の操作突起Ｐ３との間隔は、一側板２４ｂ近傍から溝ａ，ｂの交差部分までと略同じ間隔である。一括操作レバー３０は、そのＬ字形の長尺部分の先端部と、そのＬ字形の短尺部分の中間部と、これらの長尺部分と短尺部分との連結部分とに、それぞれ水平方向に長い長孔３０ａが形成されている。各長孔３０ａには、合計３対のガイドローラ３１がそれぞれ回転自在に遊挿されている。これらのガイドローラ３１は、各ローラ軸の元部が、筐体１２Ａの壁板１２ａに固定された正面視して矩形状の取り付け板３２の所定位置に、それぞれ取り付けられている。また、取り付け板３２の長さ方向の中間部付近と、一括操作レバー３０の短尺部の元部との間には、常時、この一括操作レバー３０を筐体１２Ａのカードリーダ部２１側の壁板方向に付勢するコイルばね３３Ａが架け渡されている。このコイルばね３３Ａのばね力により一括操作レバー３０が水平方向に移動した位置が、前記第３の操作突起Ｐ３によるホッパーカセット１３Ａ〜１３Ｄの固定解除位置となる。また、一括操作レバー３０の短尺部の上端には、水平に屈曲された上端片３０ｂが一体形成されている。この上端片３０ｂには、略その全長にわたって長孔３０ｃが形成されている。
【００５２】
また、取り付け板３２の上端片３０ｂ側の端部には、垂直な立ち上げ部３２ａの元部が連結されている。この立ち上げ部３２ａの上端には、上端片３０ｂより上方位置で、水平に屈曲された上端片３２ｂが一体形成されている。この上端片３２ｂの先部には、キー操作に伴って一括操作レバー３０をその長さ方向に水平に移動させるキーロック機構３３が取り付けられている。このキーロック機構３３は、上端片３２ｂに固定されたシリンダ錠３４と、シリンダ錠３４のシリンダ軸に固定された回動片３５と、この回動片３５の先端部に垂下され、下端部が前記長孔３０ｃに遊挿された操作ピン３６とから構成されている。シリンダ錠３４にキー３７を差し込み、このキー３７を回動操作することで、回動片３５を介して操作ピン３６が回動する。これに伴い、長孔３０ｃの長さ分だけ一括操作レバー３０が、壁板１２ａに沿って所定距離だけ水平方向に移動する。その結果、各突起Ｐ１〜Ｐ３が同じ方向に同じ距離だけ移動する。キーロック機構３３の筐体１２Ａの高さ位置は、キー３７をシリンダ錠３４から抜いたときにだけ、筐体１２Ａの上端にヒンジ連結された筐体蓋１２Ｂを閉蓋することができる高さ位置に設定されている。
【００５３】
次に、図２に示すように、一実施形態のホッパーカセット機構１０を有するカード発行機１２の作動を説明する。
【００５４】
カード発行時には、所定のホッパーカセット収納部１４Ａ〜１４Ｄにおいて、図示しない走行モータにより移動体６１をガイドロッド６２に沿ってＹ方向に移動させる。その途中で、１対のカードホッピング爪６０により、対応するホッパーカセット１３Ａ〜１３Ｄの最下層に配置されたカード１１の両端部が把持される。そして、さらに移動体６１が移動することで、カード排出口１３ａからカード１１が排出される。排出されたカード１１は、カード取り出し移動機構１８によりインデント／エンボス機構１９まで移動され、カード１１に所定の文字および記号などが刻まれる。続いて、このカード１１にはカード取り出し移動機構１８によりトッパー機構２０まで移動され、刻まれた文字および記号などの表面に、例えば銀色のフィルムが融着されて色が付けられる。その後、カード１１はカード取り出し移動機構１８によりカードリーダ部２１へ移動される。ここでは、カード１１に所定の記録がなされる。その後、カード発行口２１ａを通してカード１１が発行される。
【００５５】
ところで、このようなカード発行に先駆け、ホッパーカセット部１７では、各ホッパーカセット１３Ａ〜１３Ｄのホッパーカセット収納部１４Ａ〜１４Ｄに対する収納作業が行われる。以下、この作業を詳述する。
【００５６】
前述したように、各突起Ｐ１〜Ｐ３は、あらかじめ一括操作レバー３０を介して、シリンダー錠３４によりホッパーカセット１３Ａ〜１３Ｄの固定解除位置に配置されている。したがって、作業者が各ホッパーカセット１３Ａ〜１３Ｄをホッパーカセット収納部１４Ａ〜１４Ｄに収納し、シリンダー錠３４にてロックすると、第３の操作突起Ｐ３が溝ｂの一側板２４ｂ側の端付近に配置される。第１の操作突起Ｐ１は、溝ａの下端から溝内に入り、溝ｂとの交差部分に配置される。そして、第２の操作突起Ｐ２は溝ｃの一側板２４ｂ側の端付近に配置される（図１３）。
【００５７】
このとき、各ホッパーカセット収納部１４Ａ〜１４Ｄにあっては、壁板１２ａの上縁面に突設された固定ピンＴ３が、鍔部２４Ａのピン孔２４ｇに挿着されることで、対応するホッパーカセット１３Ａ〜１３Ｄが位置決めされて収納される。同時に、１対の操作入力ピンＴ１，Ｔ２が、鍔部２４Ａの対応する凹部２４ｆに挿着される。これにより、各凹部２４ｆに遊挿された入力片５１ｂ，５２ｂが、各コイルばね５６のばね力に抗して押し上げられる。それに伴い、両直胴部５１ａ，５２ａがそれぞれ上昇して、ロック部５１ｃによる第１のストッパＳ１のロック状態が解除されるとともに、ロック片５２ｃによる第２ストッパＳ２のロック状態が解除される（図１５）。
【００５８】
次に、作業者がキー３７をシリンダ錠３４に挿着し、これを固定側に９０度回動させる。すると、シリンダ軸および回動片３５を介して操作ピン３６が固定側に回動し、上端片３０ｂの長孔３０ｃの形成部を介して、一括操作レバー３０が、コイルばね３３Ａのばね力に抗して壁板１２ａに沿って固定方向に所定距離だけ水平移動する。よって、各突起Ｐ１〜Ｐ３が一括操作レバー３０と同じ方向に同じ距離だけ移動する。これにより、第３の操作突起Ｐ３を介して、ホッパーカセット１３Ａ〜１３Ｄがそれぞれ対応するホッパーカセット収納部１４Ａ〜１４Ｄに固定される。これと同時に、各第１のスイッチＳ１は、巻きばね４８のばね力に抗して、対応する第１の操作突起Ｐ１によってロック解除側に回動操作させられる。よって、揺動規制爪４７ｂによる揺動バー４６の揺動規制状態が解除される。これにより、各カード排出口１３ａからのカード１１の取り出しを規制または規制解除するストッパ爪４６ｂの揺動が許容される。
【００５９】
さらに、シャッタ開閉操作レバー４２の先端部である第２のスイッチＳ２が、巻きばね４４のばね力に抗して第２の操作突起Ｐ２により操作され、１対のシャッタ４１が開く（図１）。これにより、底板１３ｃの各爪送り孔１３ｂ内を、対応するカードホッピング爪６０がそれぞれ移動可能となる。このカードホッピング爪６０の選択されたホッパーカセットの爪送り孔１３ｂ内への進入に伴って、移動体６１に揺動バー４６の元部４６ａ側の底面が乗り上げて揺動バー４６の元部４６ａが押し上げられると共にストッパ爪４６ｂ側が解除側へ揺動し（降下）、各カード排出口１３ａからのカード１１の取り出し規制状態が解除される。
【００６０】
なお、ホッパーカセット１３Ａ〜１３Ｄをホッパーカセット収納部１４Ａ〜１４Ｄから取り出す際には、上述のキー操作を反対に行えばよい。
【００６１】
このように、１対のカードホッピング爪６０によりカード１１の両端部を把持して、これをカード排出口１３ａから排出するように構成したので、反りを有するカード１１でもカード排出口１３ａから円滑に排出が可能となる。しかも、対応するシャッタ４１により、各底板１３ｃに形成された１対の爪送り孔１３ｂを通してのカード１１の盗難を防止することができる。
【００６２】
また、各シャッタ手段４０を、対応するホッパーカセット１３Ａ〜１３Ｄの中間板１３ｄにそれぞれ設けたので、１対のシャッタ４１をカセット底部にコンパクトに収納することができる。
【００６３】
さらに、各ロック片５２ｃによる第２のストッパＳ２のロック構造を採用したので、各シャッタ４１にセキュリティロック機能を付加することができる。しかも、各ホッパーカセット１３Ａ〜１３Ｄを対応するホッパーカセット収納部１４Ａ〜１４Ｄに収納したとき、操作入力ピンＴ２および入力片５２ｂを介して、前記ロック片５２ｃによる第２のストッパＳ２のロック状態を自動解除することができる。
【００６４】
そして、各ロック部５１ｃによる第１のストッパＳ１のロック機構を採用したので、各ストッパ爪４６ｂによりカード排出口１３ａからのカード盗難のセキュリティー性が高まり、しかも各ストッパ爪４６ｂによるカード排出口１３ａの開閉操作を個別に行わなくても、対応するホッパーカセット１３Ａ〜１３Ｄのキーロック機構３３のキー操作に連動させることができる。
【００６５】
次いで、ウエイトＷの重さにより、カード１１の反りを、ホッパーカセット１３Ａ〜１３Ｄに収納中に矯正可能で、しかも円滑にカード１１をカセット底部のカード排出位置まで押し下げることができる。
【００６６】
また、一括操作レバー３０を水平方向に移動し、第３の操作突起Ｐ３を介して、各ホッパーカセット１３Ａ〜１３Ｄをそれぞれ対応するホッパーカセット収納部１４Ａ〜１４Ｄに固定または固定解除するようにしたので、従来の垂直面内で上方向からロック操作レバーによって押さえ込むキーロック機構に比べて、小さな操作力で複数のホッパーカセット１３Ａ〜１３Ｄを同時に固定または固定解除することができる。しかも簡単な構造でありながら、女性などの力が弱い作業者でも、ホッパーカセット１３Ａ〜１３Ｄの入れ換え作業を容易に行うことができる。
【００６７】
さらに、キーロック機構３３のキー操作に連動して一括操作レバー３０を操作するようにしたので、カム構造を介することで、キーロック機構３３の設置位置をカード発行機１２の任意の位置に設定することができる。
【００６８】
そして、キー３７をキーロック機構３３から抜き取らなければ、筐体蓋１２Ｂを閉蓋できない構成としたので、キー３７の取り忘れを防ぐことができる。
【００６９】
なお、上述の実施形態は本発明の好適な実施の一例ではあるがこれに限定されるものではなく、本発明の要旨を逸脱しない範囲において種々変形実施可能である。
【００７０】
例えば、カード抜取り阻止部材とカード抜取り阻止解除部材とは、一体形成でもよいし、別体で形成されてもよい。
【００７１】
シャッタの大きさは限定されない。爪送り孔を完全に塞ぐものでも、所定の隙間を開けて塞ぐものでもよい。ただし、シャッタと爪送り孔との隙間から、カードの短尺側の端部が抜けないサイズにしなければならない。
【００７２】
また、第１のスイッチロックバーのロック部と、第２のスイッチロックバーのロック片との形状は限定されない。例えばピン形状でもよいし、他の板形状でもよい。
【００７３】
シャッタは２枚に限らず、１枚のシャッタにより両方の爪送り孔を一括して開閉してもよい。
【００７４】
【発明の効果】
以上の説明より明らかなように、請求項１記載の発明にかかるカード発行機のホッパーカセット機構によると、ホッパーカセットの底板に形成された１対の爪送り孔を通して、２本のカードホッピング爪によりカードの両側部を把持してカードをカード排出口から排出するようにしたので、反りを有するカードであっても、カード排出口から円滑に送り出すことができる。
【００７５】
また、両爪送り孔は、シャッタ手段のシャッタにより開閉自在としたので、各爪送り孔を通してのカードの盗難を防止することができる。
【００７６】
また、請求項２記載の発明にかかるカード発行機のホッパーカセット機構によると、ホッパーカセットの底板の爪送り孔間にシャッタ手段を設けたので、１対のシャッタをカセット底部にコンパクトに収納することができる。
【００７７】
さらに、請求項３記載の発明にかかるカード発行機のホッパーカセット機構によると、ホッパーカセットがホッパーカセット収納部から抜き出されると、ロック部材によりシャッタ開閉操作部材がロックされる。この構成により、シャッタにセキュリティロック機能を付加することができる。
【００７８】
また、ホッパーカセットをホッパーカセット収納部に収納すれば、ロック解除部材により、シャッタ開閉操作部材のロック状態を解除することができる。
【００７９】
さらにまた、請求項４記載の発明にかかるカード発行機のホッパーカセット機構によると、キーロック機構のキー操作に連動し、カード抜取り阻止解除部材によりカード排出口の開閉を行うようにしたので、カード排出口からのカードの盗難を防ぐことができるとともに、カード排出口の開閉操作を個別に行わなくてもよい。
【００８０】
そして、カード検知センサ、カセット検知センサおよびニアエンドセンサにより、ホッパーカセット内のカードの有無を検知したり、ホッパーカセットの収納の有無を検知したり、ホッパーカセット内のカードのストック量が少なくなった状態を検知することができる。
【図面の簡単な説明】
【図１】本発明のカード発行機のホッパーカセット機構の一実施形態を示す要部拡大平面図である。
【図２】本発明のカード発行機のホッパーカセット機構が適用されたカード発行機の概略構成を示す平面図である。
【図３】本実施形態のホッパーカセットの正面図である。
【図４】本実施形態のホッパーカセットの背面側に組み込まれたシャッタロック操作機構をボックスを外して示す背面図である。
【図５】同ホッパーカセットの揺動バーとそのロック機構部分の縦断面図である。
【図６】同ホッパーカセットのシャッタ機構部分とそのロック機構部分の縦断面図である。
【図７】シャッター機構部分の拡大断面図である。
【図８】同ホッパーカセットの側面図で、センサー部分を拡大して示す断面図である。
【図９】本発明のカード発行機のホッパーカセット機構の一実施形態に組み込まれたシャッタロック操作機構の要部拡大斜視図である。
【図１０】各ロック機構を操作する一括操作レバーの概略図である。
【図１１】同横断面図である。
【図１２】本発明のカード発行機のホッパーカセット機構の一実施形態において、ホッパーカセットのホッパーカセット収納部への収納完了直前の状態を示す斜視図である。
【図１３】本発明のカード発行機のホッパーカセット機構の一実施形態において、ホッパーカセットのホッパーカセット収納部への収納完了直前の状態における各操作突起と各溝との位置関係を示す要部拡大背面図である。
【図１４】本発明のカード発行機のホッパーカセット機構の一実施形態において、ホッパーカセットのホッパーカセット収納部への固定状態を示す斜視図である。
【図１５】本発明のカード発行機のホッパーカセット機構の一実施形態において、ホッパーカセットのホッパーカセット収納部への固定状態における各操作突起と各溝との位置関係を示す要部拡大背面図である。
【符号の説明】
１０　カード発行機のホッパーカセット機構
１１　カード
１２Ａ　筐体
１３Ａ〜１３Ｄ　ホッパーカセット
１３ａ　カード排出口
１３ｂ　爪送り孔
１３ｃ　底板
１４Ａ〜１４Ｄ　ホッパーカセット収納部
３３　キーロック機構
３７　キー
４０　シャッタ手段
４１　シャッタ
４２　シャッタ操作レバー（シャッタ開閉操作部材）
４２ａ　回動軸
４６　揺動バー（カード抜取り阻止解除部材）
４６ｂ　ストッパ爪（カード抜取り阻止部材）
５２ｂ　入力片（ロック解除部材）
５２ｃ　ロック片（ロック部材）
６０　カードホッピング爪
Ｗ　ウエイト
【図１】
2004127192.tif 000003
【図２】
2004127192.tif 000004
【図３】
2004127192.tif 000005
【図４】
2004127192.tif 000006
【図５】
2004127192.tif 000007
【図６】
2004127192.tif 000008
【図７】
2004127192.tif 000009
【図８】
2004127192.tif 000010
【図９】
2004127192.tif 000011
【図１０】
2004127192.tif 000012
【図１１】
2004127192.tif 000013
【図１２】
2004127192.tif 000014
【図１３】
2004127192.tif 000015
【図１４】
2004127192.tif 000016
【図１５】
2004127192.tif 000017